(57)【要約】    【課題】  誘導灯の制御・監視システムに組み込まれるように設置されているにもかかわらず信号線が何らかの原因で断線し、または誤って信号線に接続していない場合や誘導灯のアドレス設定が行われていない不正な使用状態であっても常に安全側に作動する自動点検機能付誘導灯を提供する。    【解決手段】  自動点検機能付誘導灯ＥＥＬは、光源Ｌ、点灯回路、バッテリ、充電回路ならびにアドレス設定機能を有するとともに外部から到来する遠隔制御信号に応じて光源Ｌおよびバッテリの自動点検を行う自動点検手段を備えた自動点検誘導灯手段と、一般誘導灯手段と、自動点検誘導灯手段のアドレスが設定され、かつ、外部からの制御信号がある場合には自動点検誘導灯手段が作動するように選択し、アドレスが設定されていないか外部からの制御信号がない場合には一般誘導灯手段が作動するように選択する自己診断手段３とを具備している。【選択図】    図４
2006164932.tif 000002
【特許請求の範囲】
【請求項１】
防災用照明を行う主光源、主光源を点灯する点灯回路、電源遮断時に電源を供給するバッテリ、常用時にバッテリを充電する充電回路ならびにアドレス設定機能を有するとともに外部から到来する遠隔制御信号に応じて主光源またはバッテリの自動点検を行う自動点検手段を備えた自動点検防災用照明器具手段と；
防災用照明を行う主光源、主光源を点灯する点灯回路、電源遮断時に電源を供給するバッテリ、常用時にバッテリを充電する充電回路および点検スイッチを含む手動点検手段を備えた一般防災用照明器具手段と；
自動点検防災用照明器具手段のアドレスが設定され、かつ、外部からの制御信号がある場合には自動点検防災用照明器具手段が作動するように選択し、アドレスが設定されていないかまたは外部からの制御信号がない場合には一般防災用照明器具手段が作動するように選択する自己診断手段と；
を具備していることを特徴とする自動点検機能付防災用照明器具。
【請求項２】
自動点検中であることを表示する自動点検表示手段を具備していることを特徴とする請求項１記載の自動点検機能付防災用照明器具。
【請求項３】
自動点検前に短時間の非常点灯を行っていた場合であっても自動点検を行えるように構成されていることを特徴とする請求項１または２記載の自動点検機能付防災用照明器具。
【請求項４】
請求項１ないし３のいずれか一記載の自動点検機能付防災用照明器具の複数個と；
アドレス信号を付加した自動点検指令の制御信号を特定の自動点検機能付防災用照明器具へ送出し、自動点検機能付防災用照明器具からの点検結果信号を受信して複数個の自動点検機能付防災用照明器具を統括して制御、監視する制御装置と；
複数個の自動点検機能付防災用照明器具および制御装置の間を通信可能に接続する信号伝送媒体と；
を具備していることを特徴とする防災用照明器具制御システム。
【請求項５】
制御装置は、リモコンによって自動点検機能付防災用照明器具に設定されたアドレスを登録し、かつ、自動点検機能付防災用照明器具へのアドレスロック指示機能を有しており；
自動点検機能付防災用照明器具は、リモコン信号送受手段を備えていて少なくともリモコンによるアドレス設定が可能であるとともに制御装置からアドレスロックを指示されているときには新規アドレスを受け付けないように構成されている；
ことを特徴とする請求項４記載の防災用照明器具制御システム。
【請求項６】
制御装置は、自動点検機能付防災用照明器具が自動点検を行っているときに火災が発生した場合、自動点検機能付防災用照明器具へ点検中止信号を送出して自動点検機能付防災用照明器具の動作を非常点灯状態から通常点灯状態に移行させるように構成されていることを特徴とする請求項４または５記載の自防災用照明器具制御システム。
【請求項７】
自動点検機能付防災用照明器具は、アドレス未設定表示手段を具備し；
制御装置は、自動点検機能付防災用照明器具のアドレスが未設定のときには、当該自動点検機能付防災用照明器具のアドレス未設定表示手段を動作させるように構成されている；
ことを特徴とする請求項４ないし６のいずれか一記載の防災用照明器具制御システム。
【請求項８】
複数個の自動点検機能付防災用照明器具は、アドレスが重複して設定されたことを表示するアドレス重複表示手段を具備し；
制御装置は、複数個の自動点検機能付防災用照明器具に対してアドレスが重複して設定されたときには、当該自動点検機能付防災用照明器具のアドレス重複表示手段を動作させるように構成されている；
ことを特徴とする請求項４ないし７のいずれか一記載の防災用照明器具制御システム。
【請求項９】
制御装置は、複数個の自動点検機能付防災用照明器具の主光源およびバッテリの少なくとも一方の接続状態を監視し、上記監視対象の接続異常を検出した場合、当該自動点検機能付防災用照明器具に対して自動点検指令の制御信号を送信しないように構成されていることを特徴とする請求項４ないし８のいずれか一記載の防災用照明器具制御システム。
【請求項１０】
制御装置は、複数の自動点検機能付防災用照明器具を複数のグループに区割りしてグループごとの設定周期にしたがい自動点検の日時を自動的に割り振る際に、点検周期を月間標準日数に換算して、これを同一グループに所属する自動点検機能付防災用照明器具の数で除算したときの算出値が７以上のときには、７日おきに自動点検を実施するように構成されていることを特徴とする請求項４ないし９のいずれか一記載の防災用照明器具制御システム。
【発明の詳細な説明】
【技術分野】
【０００１】
本発明は、遠隔制御による自動点検を行えるように構成された自動点検機能付防災用照明器具およびこれを遠隔制御する防災用照明器具制御システムの改良に関する。
【背景技術】
【０００２】
誘導灯は、消防法により定期点検が義務付けられていて、配設されている点検スイッチを操作することにより、点検を行うことができる。点検は、非常点灯が２０分以上行えることを確認するものである。
【０００３】
多数の誘導灯を設置している施設においては、誘導灯の点検作業に要する労力が多大になるが、短時間に、かつ、安全に多数の誘導灯の点検を一括して制御・監視できるようにするために、遠隔制御による自動点検を行えるように構成された誘導灯のバッテリ点検制御装置が提案されている（例えば、特許文献１参照。）。また、非常点灯や連動停止のような非常時の動作に加えて、常時消灯制御やランプの累積点灯時間制御のような常時の動作の監視・制御を行う防災用の照明システム（特許文献２参照。）、点検の制御・監視のために外部通信端末に送信する通信部を器具の下部に設けた誘導灯（特許文献３参照。）などが提案されている。
【特許文献１】特開平０４−２０６３８８号公報
【特許文献２】特開平０８−１８０９８０号公報
【特許文献３】特開２００４−２０６９６８号公報
【発明の開示】
【発明が解決しようとする課題】
【０００４】
ところが、上述したような誘導灯の制御・監視システムに用いる誘導灯において、システムに接続するための信号線などが何らかの原因で断線するなど少なくとも個別の誘導灯から見て当該システムにアクセス不能な状態になっているとき、または誤って信号線などに接続していない場合や誘導灯のアドレス設定が行われていない場合は、いずれも誘導灯の不正な使用状態であるから、誘導灯を正常時の点灯状態とは異なる点滅点灯モードにしたり消灯したりするように構成することが考えられる。しかしながら、これでは誘導灯の設置目的に沿いにくいという問題がある。
【０００５】
本発明は、信号線が何らかの原因で断線し、または誤って信号線に接続していない場合や誘導灯のアドレス設定が行われていない不正な使用状態であっても常に安全側に作動する自動点検機能付防災用照明器具およびこれを遠隔制御する防災用照明器具制御システムを提供することを目的とする。
【課題を解決するための手段】
【０００６】
本発明の自動点検機能付防災用照明器具は、防災用照明を行う主光源、主光源を点灯する点灯回路、電源遮断時に電源を供給するバッテリ、常用時にバッテリを充電する充電回路ならびにアドレス設定機能を有するとともに外部から到来する遠隔制御信号に応じて主光源およびバッテリの自動点検を行う自動点検手段を備えた自動点検防災用照明器具手段と；防災用照明を行う主光源、主光源を点灯する点灯回路、電源遮断時に電源を供給するバッテリ、常用時にバッテリを充電する充電回路および点検スイッチを含む手動点検手段を備えた一般防災用照明器具手段と；自動点検防災用照明器具手段のアドレスが設定され、かつ、外部からの制御信号がある場合には自動点検防災用照明器具手段が作動するように選択し、アドレスが設定されていないか外部からの制御信号がない場合には一般防災用照明器具手段が作動するように選択する自己診断手段と；を具備していることを特徴としている。
【０００７】
自動点検機能付防災用照明器具は、自動点検機能付の誘導灯および非常用照明器具などを含む概念である。
【０００８】
自動点検防災用照明器具手段は、防災用照明器具制御システムに組み込まれたときに防災用照明器具、例えば誘導灯として機能するための構成である。なお、本発明の防災用照明器具制御システムについては後述する。
【０００９】
一般防災用照明器具手段は、自動点検機能付防災用照明器具制御システムに組み込まれないで単独で設置される防災用照明器具すなわちスタンドアローンの誘導灯や非常用照明器具として機能するための構成である。
【００１０】
上記自動点検防災用照明器具手段および一般防災用照明器具手段のいずれにおいても、防災照明を行う主光源、主光源を点灯する点灯回路、電源遮断時に電源を供給するバッテリおよびバッテリを充電する充電回路を備えているので、これらの部材の全部または任意の一部を兼用することができる。主光源は、防災用照明器具としての主となる照明を行うための光源であり、モニタなど他の機能のために用いる光源とは区別される。そして、防災照明を行うことができればどのようなものであってもよく、例えば冷陰極形蛍光ランプなどの蛍光ランプや発光ダイオードなどを用いることができる。点灯回路は、主光源を点灯させる手段であり、例えばインバータなどを主体として構成することができる。バッテリは、電源遮断時に主光源、点灯回路および自動点検手段などに電源を供給して、主光源を所定時間の間点灯させる手段である。充電回路は、バッテリを充電する手段であり、例えば商用電源を整流して直流電圧を得てからバッテリを充電する。なお、バッテリおよび充電回路は、防災用照明器具に内蔵されていてもよいし、また別置形として構成されてもよい。
【００１１】
また、自動点検防災用照明器具手段は、上記構成の他に自動点検手段を備えている。自動点検手段は、少なくともバッテリの寿命末期または主光源の接続不良および不点を防災用照明器具制御システムにより自動的に点検し、その結果を防災用照明器具制御システの制御装置に送信するとともに、防災用照明器具側において少なくとも一時的に記憶できるように構成されているものとする。そのために、防災用照明器具制御システムに対して、それぞれ個別防災用照明器具のアドレスを登録するアドレス設定機能、信号送受信機能、自己点検機能、演算機能および記憶機能などを備えている。
【００１２】
アドレス設定機能は、ＤＩＰスイッチなどのアドレス設定器を自動点検防災用照明器具手段に配設したり、リモコン信号送受手段を配設してリモコンを用いてアドレスを遠隔的に設定するように構成したりすることができる。
【００１３】
信号送受信機能は、防災用照明器具制御システムからの制御信号などの受信機能および点検結果などの送信機能を有している。制御信号などの受信機能は、点検指令の制御信号などを受信する。送信機能は、防災用照明器具制御システムの制御装置に対して点検結果を含む応答信号などを送信する。
【００１４】
自己点検機能は、演算機能を含み、点検指令の制御信号を受信したときに作用して、制御信号に応動して回路を擬似的に停電状態として点灯回路の電源をバッテリに切り換えて、バッテリの寿命点検または主光源の不点検出などを自動的に行う。なお、演算機能は、マイコンなどの演算・記憶手段からなる。また、演算機能は、点灯回路を所要に制御するのにも寄与させることができる。記憶機能は、自動点検結果を記憶し、所要のプログラムを記憶し、演算手段の求めに応じてプログラムを読み出せるように作用する機能であり、マイコンなどの記憶機能を利用することができる。
【００１５】
また、一般防災用照明器具手段は、上記構成の他に手動点検手段を備えている。手動点検手段は、点検スイッチを含んでいる。点検スイッチは、本形態の自動点検機能付防災用照明器具の外部から操作可能なように配設され、例えばプルスイッチ、押し釦スイッチなどからなる。そして、点検スイッチを外部から手動で操作すると、回路を擬似的に停電状態として、主光源の点灯回路の電源をバッテリに切り換える。この状態で主光源が所定時間点灯するかを目視により確認を行うことにより、点検が行われる。
【００１６】
自己診断手段は、自動点検機能付防災用照明器具が正常な使用状態であるか、または不正な使用状態であるかを自己診断するための手段である。なお、本発明において、不正な使用状態とは、防災用照明器具制御システムに接続するための信号線などが何らかの原因で断線し、または誤って信号線などに接続していない場合や防災用照明器具のアドレス設定が行われていない場合など少なくとも当該防災用照明器具から見て自動点検機能付の防災用照明器具としては使用不能な状態になっているときをいう。また、自己診断手段は、点灯回路および自動点検手段を制御するためにマイコンを使用する場合、このマイコンの演算機能を利用して構成することができる。
【００１７】
そうして、本発明の自動点検機能付防災用照明器具は、防災用照明器具制御システムに組み込まれて使用に供される。そして、任意または所定のとき、例えば商用電源投入時などに、その自己診断手段が自己診断を行う。その結果、自動点検機能付防災用照明器具が正常な使用状態であると診断された場合には、以後自動点検機能付防災用照明器具は、自動点検防災用照明器具手段としての機能が選択されて作動する。
【００１８】
これに対して、自己診断手段による診断の結果、自動点検機能付防災用照明器具が不正な使用状態であると診断された場合には、以後自動点検機能付防災用照明器具は、一般防災用照明器具手段としての機能が選択されるので、少なくとも一般の防災用照明器具として作動する。すなわち、スタンドアローンの防災用照明器具として作動する。なお、後者の場合において、自動点検機能付防災用照明器具が一般防災用照明器具として作動していることを外部に明示して注意を喚起するために、表示手段を所望により配設することができる。表示手段としては、例えば発光、発音、形態物表示など適当な手段を採用することができる。
【００１９】
本発明の防災用照明器具制御システムは、自動点検機能付防災用照明器具の複数個と；アドレス信号を付加した自動点検指令の制御信号を特定の自動点検機能付防災用照明器具へ送出し、自動点検機能付防災用照明器具からの点検結果信号を受信して複数個の自動点検機能付防災用照明器具を統括して制御、監視する制御装置と；複数個の自動点検機能付防災用照明器具および制御装置の間を通信可能に接続する信号伝送媒体と；を具備していることを特徴としている。
【００２０】
本発明の防災用照明器具制御システムにおいて、自動点検機能付防災用照明器具には、以上説明した本発明の自動点検機能付防災用照明器具を用いる。また、防災用照明器具制御システムに組み込むために、通信制御部を備えることができる。
【００２１】
制御装置は、複数個の自動点検機能付防災用照明器具を統括して制御、監視する手段である。そして、少なくとも複数個の自動点検機能付防災用照明器具に対して自動点検指令の制御信号を個別に送信することができ、また自動点検を行った自動点検機能付防災用照明器具から点検結果信号を受信する。さらに、複数個の自動点検機能付防災用照明器具のアドレスを登録し、複数個の自動点検機能付防災用照明器具の主光源およびバッテリの接続状態を監視し、複数個の自動点検機能付防災用照明器具に対して自動点検実施の日時を自動的に割り振るなどの機能を備えることができる。
【００２２】
なお、自動点検は、規定の２０分間にわたり非常点灯させて行う定期点検および１分間にわたり非常点灯させて行う週間点検の両方の点検モードについて実施するように制御装置を構成することができる。
【００２３】
信号伝送媒体は、複数個の自動点検機能付防災用照明器具および制御装置の間を通信可能に接続するための媒体である。例えば、信号線、電話線、配電線、電波、赤外線または超音波などの信号伝送媒体を用いることができる。なお、電話線および配電線を用いる場合、信号重畳を行うように構成される。
【００２４】
以下、所望により採用し得る防災用照明器具制御システムの態様について説明する。これらの態様の一つまたは複数を付加的に採用することにより、本発明の防災用照明器具制御システムの性能が向上したり、機能が増加したりして、より一層優れた防災用照明器具制御システムを提供することができる。なお、防災用照明器具制御システムとしての作用においては、自動点検機能が寄与し、一般防災用照明器具手段は機能しないので、以下に示す態様においては、前述の本発明の自動点検機能付防災用照明器具を用いるのはもちろんのこと、自動点検機能を備えている防災用照明器具であれば、前述の本発明の自動点検機能付防災用照明器具でないものを用いてもよい。
【００２５】
１．自動点検機能付防災用照明器具は、自動点検中を表示する自動点検表示手段を具備している。
【００２６】
すなわち、自動点検機能付防災用照明器具は、自動点検表示手段を具備していて、防災用照明器具制御システムに組み込まれて使用に供される態様において、防災用照明器具制御システムの制御装置から信号伝送媒体を経由して自動点検指令の制御信号を受信して自動点検を遂行中に、自動点検中であることを表示する。
【００２７】
自動点検表示手段は、専用および兼用のいずれであってもよい。兼用の場合、例えば充電モニタおよびランプモニタをともに点灯させることができる。この場合、充電モニタおよびランプモニタを同時に点灯したり、交互に点灯したり、あるいは点滅の周期を適当な範囲内に設定するなどのいろいろな組合せの中から適当なものを選択して採用することにより、兼用でありながらそれぞれのモニタの本来の表示目的または他の表示目的と誤認しないように配慮することができる。また、自動点検表示手段は、それが専用および兼用のいずれであっても、発光に限定されるものではなく、例えば音や色など発光以外の手段であってもよい。
【００２８】
自動点検表示手段において、自動点検指令の制御信号に応動する部分を、例えば自動点検機能付防災用照明器具の自動点検機能などの主として制御・監視を行うマイコンなどの演算処理手段を利用して構成することができる。そして、信号伝送媒体を経由して上記制御信号を受信したときに、マイコンなどの演算処理手段による演算処理に基づいて自動点検表示手段の表示部分を作動させることができる。なお、マイコンなどの演算処理手段には、
そうして、本態様によれば、実際の照明空間において自動点検中の自動点検機能付防災用照明器具を外部から容易に識別することが可能になる。
【００２９】
２．防災用照明器具は、短時間の非常点灯であるなら自動点検を実施するように構成されている。
【００３０】
すなわち、防災用照明器具の点検を行う直前に短時間の非常点灯を行ってしまう場合が実際上起こり得る。例えば、誤って点検スイッチを操作してしまい、直ぐに気付いて点検スイッチを再度操作して元に戻すなどである。本態様は、このような場合には点検を実施するように構成されている。なお、非常点灯とは、バッテリを電源とする主光源の点灯である。本態様において、短時間を例えば６０〜９０秒の間に設定するのが好ましい。このような時間であれば、バッテリの放電特性を点検する上で、放電時間に実質的な影響が少ない。
【００３１】
短時間の非常点灯の有無、その発生時刻および自動点検実施の可否判断を行うためには、適当な演算処理手段を用いるのがよいが、防災用照明器具内に配設されて各種の制御および判断などを行うマイコンなどの演算処理手段を利用してこれを構成することができる。
【００３２】
また、本態様は、自動点検機能付防災用照明器具はもとよりスタンドアローンで用いる一般防災用照明器具であっても適用することができる。したがって、前述した本発明の自動点検機能付防災用照明器具にこれを採用すれば、自動点検防災用照明器具および一般防災用照明器具のいずれとして作動する場合であっても本態様としての作用を行う。
【００３３】
ところで、特開２００２−２７９７６０号公報は、バッテリの点検を行うためには２４時間の事前充電が必要である旨記載している。そこで、これにしたがうように自動点検機能を構成した場合、点検スケジュールにしたがって自動点検を行おうとしたときに、その２４時間以内の時点で誤って短時間非常点灯が行われたときには自動点検ができなくなる。このため、上記のような場合には、折角自動点検を行うようにシステム化してもその実効が得られなくなり、安全サイドではなくなる。
【００３４】
これに対して、本態様においては、短時間の非常点灯が行われたとしても予め設定した条件を満足する範囲内であれば、自動点検を実施するので、自動点検を行うようにシステム化してその実効を得ることができ、したがって安全サイドになる。また、防災用照明器具がスタンドアローンで用いられる場合であっても、本態様によれば点検が実施されるので上記と同様に安全サイドになる。
【００３５】
３．自動点検機能付防災用照明器具は、アドレス登録後の再設定を拒否するように構成されている。
【００３６】
自動点検機能付防災用照明器具に対してリモコンなどによってアドレスを設定した場合、当該防災用照明器具は、設定されたアドレスを含む応答信号を制御装置に向けて送信するように構成されている。
【００３７】
制御装置は、信号伝送媒体を経由して当該応答信号を受信すると、伝送されたアドレスを制御装置内部に登録する。このようにして、自動点検機能付防災用照明器具のアドレスが制御装置内にいったん登録されると、制御装置は、当該防災用照明器具に向けて信号伝送媒体を経由してアドレスロックの指示を行う。アドレスロックを指示するには、例えばアドレスロック信号を送信する。
【００３８】
これに対して、当該防災用照明器具は、制御装置からアドレスロックを指示されたとき、例えばアドレスロック信号受信したときには、たとえリモコンなどを用いた新規のアドレス設定操作が再度行われたとしても、その設定を拒否するように構成されている。なお、制御装置側において、登録済みのアドレスを削除することができるように構成することができる。この場合、アドレスを削除した後であれば、自動点検機能付防災用照明器具のアドレス再設定が可能になる。
【００３９】
そうして、本態様によれば、自動点検機能付防災用照明器具に対して誤って再度アドレス設定操作が行われたとしても、当該防災用照明器具が登録を受け付けないので、アドレスの誤設定を回避することができる。
【００４０】
４．自動点検機能付防災用照明器具は、アドレス未設定表示手段を具備している。
【００４１】
すなわち、自動点検機能付防災用照明器具は、アドレス未設定表示手段を備えていて、当該防災用照明器具に対するアドレスが未設定の状態にある場合には、アドレス未設定表示手段がその状態であることを当該防災用照明器具側において表示する。
【００４２】
アドレス未設定表示手段は、アドレス設定有無判断処理部および表示部を含んでいる。アドレス設定有無判断処理部は、自動点検機能付防災用照明器具内に配設されて各種の制御および判断などを行うマイコンなどの演算処理手段を利用してこれを構成することができる。
【００４３】
表示部は、専用および兼用のいずれであってもよい。兼用の場合、例えば充電モニタおよびランプモニタをともに点灯させることができる。この場合、充電モニタおよびランプモニタを同時に点灯したり、交互に点灯したり、あるいは点滅の周期を適当な範囲内に設定するなどのいろいろな組合せの中から適当なものを選択して採用することにより、兼用でありながらそれぞれのモニタの本来の表示目的または他の表示目的と誤認しないように配慮することができる。また、表示部は、それが専用および兼用のいずれであっても、発光に限定されるものではなく、例えば音や色などであってもよい。
【００４４】
そうして、本態様においては、自動点検機能付防災用照明器具が防災用照明器具制御システムに組み込まれて使用に供される中で、防災用照明器具制御システムの制御装置からアドレス設定確認の制御信号または自動点検指令など所定の制御信号を受信したときに、自動点検機能付防災用照明器具は、アドレス未設定表示手段におけるアドレス設定有無判断処理部がアドレス設定の有無の判断処理を行う。その結果、アドレスが未設定であれば、表示部が作動してアドレスが未設定であることを表示する。そのため、設備工事業者やアドレス設定作業者の不注意によるアドレス未設定を回避しやすくなる。
【００４５】
５．自動点検機能付防災用照明器具は、２重アドレス設定表示手段を具備している。
【００４６】
すなわち、２重アドレス設定表示手段は、制御装置からの通信に基づいて作動してアドレスが２重に設定されたことを自動点検機能付防災用照明器具側で表示する手段である。この場合、重複して登録された全ての自動点検機能付防災用照明器具が表示の対象になってもよいが、少なくとも後から設定された方の自動点検機能付防災用照明器具が２重アドレス設定表示を行うように構成されている。
【００４７】
一方、制御装置は、ある自動点検機能付防災用照明器具に対して設定されたアドレスが他の自動点検機能付防災用照明器具に対して既に登録されていているため、２重設定となる場合、該当する複数の自動点検機能付防災用照明器具の少なくとも後から設定された方に対して２重アドレス設定表示の制御信号を送信する。上記制御信号を受信した当該自動点検機能付防災用照明器具は、２重アドレス設定表示を行う。なお、制御装置もまた２重アドレス設定表示手段を備え、上記と同期して２重アドレス設定表示を行うように構成することができる。
【００４８】
２重アドレス設定表示手段は、２重アドレス設定判断処理部および表示部を含んでいる。
【００４９】
２重アドレス設定判断処理部は、自動点検機能付防災用照明器具内に配設されて各種の制御および判断などを行うマイコンなどの演算処理手段を利用してこれを構成することができる。
【００５０】
表示部は、専用および兼用のいずれであってもよい。兼用の場合、例えば充電モニタおよびランプモニタをともに点灯させることができる。この場合、充電モニタおよびランプモニタを同時に点灯したり、交互に点灯したり、あるいは点滅の周期を適当な範囲内に設定するなどのいろいろな組合せの中から適当なものを選択して採用することにより、兼用でありながらそれぞれのモニタの本来の表示目的または他の表示目的と誤認しないように配慮することができる。また、表示部は、それが専用および兼用のいずれであっても、発光に限定されるものではなく、例えば音や色などであってもよい。
【００５１】
そうして、本態様によれば、２重アドレス設定を自動点検機能付防災用照明器具側において表示するので、設備工事業者やアドレス設定作業者の不注意による２重アドレス設定を回避しやすくなる。
【００５２】
６．自動点検機能付防災用照明器具は、アドレス登録時に主光源が点灯するように構成されている。
【００５３】
すなわち、自動点検機能付防災用照明器具に対してアドレスを設定し、制御装置がこれを登録したときに、制御装置は当該自動点検機能付防災用照明器具に対してアドレス登録の制御信号を信号伝送媒体経由で送信する。当該自動点検機能付防災用照明器具は、上記制御信号を受信したときに主光源を点灯する。
【００５４】
アドレス登録時に主光源を点灯させる制御を行うためには、適当な演算処理手段を用いることができる。そして、自動点検機能付防災用照明器具内に配設されて各種の制御および判断などを行うマイコンなどの演算処理手段を利用してこれを構成することができる。なお、アドレス登録時における主光源の点灯は、点滅または短時間点灯など通常の点灯と容易に区別できるような態様であることが望ましい。
【００５５】
そうして、本形態によれば、アドレス登録を主光源の点灯により認知することができる。このため、自動点検機能付防災用照明器具が天井に設置される場合など観察者との間に距離がある場合には特に好都合である。これに対して、モニタランプを用いてこれを点灯する場合、モニタランプは発光ダイオードなど小形であるため、天井などに設置される場合には認知しにくい。
【００５６】
７．制御装置は、火災発生時に点検を中止させるように構成されている。
【００５７】
すなわち、自動点検機能付防災用照明器具は、制御装置からの点検指令の制御信号を受信すると自動点検を開始する。自動点検中に火災が発生した場合、制御装置は次のように作動するように構成されている。
【００５８】
制御装置は、火災警報設備のｂ接点に接続することで火災警報設備に連動する。火災警報設備が火災発生を検知すると、これが連動して制御装置に報知されるので、制御装置は、点検中止信号を発生する。点検中止信号は、自動点検中の自動点検機能付防災用照明器具に向けて送信する。当該防災用照明器具は、信号伝送媒体を経由して点検中止信号を受信すると、自動点検を中止して、常用点灯に戻すように構成されている。
【００５９】
なお、制御装置は、所望により上記の構成に加えて、火災発生時には点検指令の制御信号の発生を中止するように構成することができる。したがって、火災発生時には自動点検の実施が中止される。
【００６０】
そうして、本態様においては、火災発生時に自動点検機能付防災用照明器具が自動点検中であっても、当該点検を中止して常用点灯に復帰させ、かつ、バッテリの充電を開始させることができるので、火災発生時における照明の安全性を向上させるとともにバッテリの消耗を低減させることができる。
【００６１】
８．制御装置は、自動点検機能付防災用照明器具の接続異常時に点検信号を送信しないように構成されている。
【００６２】
すなわち、制御装置は、防災用照明器具制御システムに組み込まれている複数個の自動点検機能付防災用照明器具の主光源およびバッテリの接続状態を常時監視する。そして、それらに接続異常を検出した場合、異常が発生した自動点検機能付防災用照明器具に対する点検指令の制御信号を送信しないよう構成されている。
【００６３】
また、監視結果の接続異常が発生した自動点検機能付防災用照明器具については制御装置にそれを表示するように構成することができる。これにより管理者などに対して警告を発して修理対応を促進することができる。
【００６４】
そうして、本態様においては、接続異常のために点検指令の制御信号を送信する必要のない自動点検機能付防災用照明器具に対して上記制御信号を送信しないので、伝送上不要な通信を低減してシステム全体のレスポンスを向上させることができる。
【００６５】
９．制御装置は、自動点検を実施しやすい周期に設定できる計算手段を内蔵している。
【００６６】
すなわち、制御装置は、その内部に管理者などが操作により設定した自動点検の周期を記憶し、周期にしたがって所定のグループ内の自動点検機能付防災用照明器具に対して自動的に点検指令の制御信号を送信し、自動点検機能付防災用照明器具の点検を実施させる。そして、本形態においては、実施しやすいスケジュールに点検周期を設定できる計算手段を内蔵している。
【００６７】
防災用照明器具の点検は、施設によっては週単位の休館日、例えば月曜日に実施したいとする要求がある。従来、これに応える点検周期を設定することが可能であるかを簡単に明らかにする計算手段が明確でなかった。
【００６８】
本形態においては、点検サイクル月数をＭとし、１月当たりの標準日数をＤとし、同一グループに属する防災用照明器具台数をＮとしたとき、下式を満足すれば７日ごとに点検を実施すれば、グループ内の全ての防災用照明器具を所要の点検サイクルで自動点検することが可能である。
【００６９】
７≦Ｍ・Ｄ／Ｎ
そこで、制御装置に上記数式を演算するプログラムを内蔵させておき、操作者が点検サイクル月数Ｍおよびグループの防災用照明器具台数Ｎを指定（または入力）して、上式の演算を実行させ、次にその答えの判定を行い、上式を満足すれば７日ごとの点検周期を設定する。
【００７０】
一例としてグループに属する防災用照明器具台数Ｎが１０台であり、３箇月に１回の定期点検を行う場合について計算すると、上記数式は３×２９／１０＝８．７となり、得られた答えは７より大きな数である。したがって、この場合には７日ごとに防災用照明器具を１台づつ点検を実施すればよい。その結果、１０週でグループ全体の点検が終了する。
【００７１】
また、次回の点検日は、設定された月単位ではなく、設定された月に近くて、かつ、それより少ない７の整数倍の日数にて実施するように設定する。上記の一例に基づいて試算すれば、グループ全体の点検が終了した２週間後に次回の点検を開始すれば、グループ内の全ての防災照明器具について３箇月に１回の定期点検を確実に行うことができる。そうすれば、点検日は、毎回同じ曜日となる。その結果、いつも決まった例えば休館日に点検を行うことが可能になる。
【００７２】
そうして、本形態においては、施設の実情に合わせた実施しやすいスケジュールで点検を実施するのが可能になる。
【発明の効果】
【００７３】
本発明によれば、防災用照明器具制御システムに組み込まれて使用に供される際に、自動点検機能付防災用照明器具が不正な使用状態である場合には、一般防災用照明器具手段としての機能が選択されて少なくともスタンドアローンの一般の防災用照明器具として作動するので、フェールセーフとなり、安全性が増す自動点検機能付防災用照明器具およびこれを制御する防災用照明器具制御システムを提供することができる。
【発明を実施するための最良の形態】
【００７４】
以下、図面を参照して本発明を実施するための形態を説明する。
【００７５】
図１ないし図３は、本発明の自動点検機能付防災用照明器具を実施するための第１の形態を示し、図１は自動点検機能付誘導灯を概念的に説明するブロック図、図２は本発明の自動点検機能付防災用照明器具が組み込まれる防災用照明器具制御システムの概略配線図、図３は自己診断のフローチャートである。図において、ＡＣは商用交流電源、ＥＥＬは自動点検機能付誘導灯、ｌは配電線、ｓは信号線、１は自動点検誘導灯手段、２は一般誘導灯手段、３は自己診断手段である。
【００７６】
本形態の自動点検機能付誘導灯ＥＥＬは、配電線ｌに接続して商用交流電源ＡＣから給電され、作動する。また、信号線ｓに接続することによって防災用照明器具制御システムに組み込まれている。
【００７７】
防災用照明器具制御システムは、図２に示すように、制御装置ＣＰ、信号線ｓおよび複数の自動点検機能付誘導灯ＥＥＬにより構成されている。そして、制御装置ＣＰから送出される例えばアドレスが付加された自動点検指令などを含む自己宛の制御信号を自動点検機能付誘導灯ＥＥＬが受信すると、自動点検機能付誘導灯ＥＥＬは、バッテリの寿命および光源の不点の有無について自動的に点検を行い、その結果を記憶し、かつ、制御装置ＣＰからの呼び出しに応じて点検結果を含む応答信号を信号線ｓに所定の順序で送出する。
【００７８】
制御装置ＣＰは、各自動点検機能付誘導灯ＥＥＬからの応答信号を受信し、集計して、各自動点検機能付誘導灯ＥＥＬの点検結果を一覧可能に表示する。また、制御装置ＣＰは、所望により、主光源の不点やバッテリおよび主光源の接続不良やなどを常時監視するなど多様な制御・監視を行えるように構成することができる。なお、図２において、符号ＥＥＬ´は一般の誘導灯であり、したがって配電線には接続しているものの防災用照明器具制御システムの信号線ｓには接続していない。
【００７９】
自動点検誘導灯手段１は、主光源、主光源の点灯回路、バッテリ、バッテリの充電回路、アドレス設定手段および自動点検手段を備えている。なお、アドレス設定手段は、自動点検機能付誘導灯ＥＥＬ個々のアドレスを設定するために機能する。自動点検手段は、バッテリおよび主光源の点検を防災用照明器具制御システムの要求に応じて自動的に行う。そのために、自動点検手段は、信号送受信機能、演算機能および記憶機能などを有している。
【００８０】
一般誘導灯手段２は、主光源、主光源の点灯回路、バッテリ、バッテリの充電回路および点検スイッチを含む点検手段を備えている。なお、図中、符号２ａは点検スイッチの操作具である。また、上記自動点検誘導灯手段１および一般誘導灯手段２は、主光源、主光源の点灯回路、バッテリおよび、バッテリの充電回路を兼用していて、図１において、自動点検誘導灯手段１のブロックと一般誘導灯手段２のブロックとが重なっている部分が上記兼用部分を示している。
【００８１】
自己診断手段３は、図３のフローチャートに示すように、アドレス設定の有無および信号線ｓからの制御信号の有無を検出することにより、自己診断を行う。なお、制御信号は、制御および／または監視のための信号を含む。
【００８２】
さらに詳述すれば、自己診断は、まずアドレスが設定されているかを判定する。その結果、Ｙｅｓであれば、次に制御信号が存在するかを判定する。Ｎｏであれば、不正な使用状態であるから、一般誘導灯手段２を作動させる。そのため、自動点検機能付誘導灯ＥＥＬは、図１の一般の誘導灯ＥＥＬ´と同様な作動を行う。
【００８３】
次に、制御信号の存在を判定する。その結果、Ｙｅｓであれば、正常な使用状態であることを確認できたので、自動点検誘導灯手段１を作動させる。そのため、自動点検機能付誘導灯ＥＥＬは、文字どおり自動点検機能付誘導灯として作動する。これに対して、Ｎｏの場合には、不正な使用状態であるから、上記と同様に一般誘導灯手段２を作動させる。そのため、自動点検機能付誘導灯ＥＥＬは、一般の誘導灯ＥＥＬ´と同様な作動を行う。
【００８４】
図３において、点線で示す部分は、自動点検機能付誘導灯ＥＥＬが一般誘導灯として作動することを示す表示する表示機能であり、所望により自動点検機能付誘導灯ＥＥＬに付加される。
【００８５】
以下、本発明の自動点検機能付防災用照明器具を実施するための第２ないし第４の形態について説明する。各図において、図１および図２と同一部分については同一符号を付して説明は省略する。
【００８６】
図４は、本発明の自動点検機能付防災用照明器具としての自動点検機能付誘導灯を実施するための第２の形態を示すブロック図である。本形態において、自動点検機能付誘導灯ＥＥＬは、非常点灯ユニットＥＵ、主光源Ｌ、アドレス設定器ＡＤ、信号送受信回路Ｒ／Ｔ、自己診断機能３および点検スイッチ２ｂを備えて構成されている。
【００８７】
非常点灯ユニットＥＵは、整流化直流電源回路、充電回路、バッテリ、点灯回路およびマイコンμＣＯＭを含み、入力端が商用電源ＡＣに配電線ｌを介して接続し、出力端が主光源Ｌに接続している。整流化直流電源回路は、商用交流電源電圧を直流電圧に変換して、後述する充電回路、点灯回路およびマイコンμＣＯＭに直流を供給する。充電回路は、後述するバッテリを充電する。バッテリは、停電時に点灯回路に直流電源を供給する。点灯回路は、インバータを含み、直流電圧を高周波交流電圧に変換する。マイコンμＣＯＭは、演算機能および記憶機能を有し、自動点検誘導灯手段１の自動点検手段の演算機能および記憶機能を担当するとともに、自己診断手段３の少なくとも一部機能、点灯回路の制御機能および点検の際の擬似停電切り換え制御機能などを担当する。
【００８８】
アドレス設定器ＡＤは、ＤＩＰスイッチなどからなり、自動点検機能付誘導灯ＥＥＬの外部から操作してアドレスを設定するように構成されている。
【００８９】
信号送受信回路Ｒ／Ｔは、防災用照明器具制御システムの信号線ｓと非常点灯ユニットＥＵのマイコンμＣＯＭとの間に介在して信号の送受を行う。
【００９０】
自己診断機能３は、マイコンμＣＯＭと協調して信号線ｓから制御信号が受信されるか否かと、アドレス設定器ＡＤによりアドレスが設定されているか否かと、をそれぞれ判定する。なお、信号送受信回路Ｒ／Ｔを経由して制御信号の有無を確認するように構成してもよい。
【００９１】
点検スイッチ２ｂは、操作具２ａを有し、操作内容をマイコンμＣＯＭに伝える。そして、上記操作に連動してマイコンμＣＯＭから送出される操作信号により擬似的な停電動作への切り換えが行われる。
【００９２】
本形態は、以上説明した構成を備えていることから理解できるように、図１における自動点検誘導灯手段１および一般誘導灯手段２の主要部を非常点灯ユニットＥＵが兼用している。したがって、図１における自動点検誘導灯手段１は、非常点灯ユニットＥＵ、光源Ｌ、アドレス設定器ＡＤおよび信号送受信回路Ｒ／Ｔによって構成されている。また、一般誘導灯手段２は、非常点灯ユニットＥＵ、光源Ｌおよび点検スイッチ２ｂによって構成されている。
【００９３】
図５は、本発明の自動点検機能付防災用照明器具としての自動点検機能付誘導灯を実施するための第３の形態を示すブロック図である。本形態において、自動点検機能付誘導灯ＥＥＬは、そのアドレス設定手段がリモコン受信回路ＲＲにより構成されているとともに、リモコン送信器ＲＴを用いることにより自動点検機能付誘導灯ＥＥＬを個別に制御可能なように構成されている。なお、リモコン送信器ＲＴに代えてリモコン送受信器を用いて、自動点検機能付誘導灯ＥＥＬからの自動点検結果を受信できるように構成してもよい。
【００９４】
すなわち、リモコン受信回路ＲＲは、非常点灯ユニットＥＵのマイコンμＣＯＭに受信データを入力するように構成されている。そして、リモコン受信回路ＲＲがアドレス情報を受信すると、自己の自動点検機能付誘導灯ＥＥＬのアドレスとしてマイコンμＣＯＭに記憶され、アドレス設定が行われる。なお、上記リモコン送受信器を用いる場合、リモコン受信回路ＲＲに代えてリモコン送受信回路を用いることができる。
【００９５】
また、リモコン受信回路ＲＲは、リモコン送信器ＲＴからの点検指令信号など各種リモート制御信号を受信したときに、これをマイコンμＣＯＭに入力するように構成されている。そして、自動点検機能付誘導灯ＥＥＬの点検などの動作をリモート制御できるようになっている。
【００９６】
図６は、本発明の自動点検機能付防災用照明器具としての自動点検機能付誘導灯を実施するための第４の形態を示す回路図である。本形態において、自動点検機能付誘導灯ＥＥＬは、図４の第２の形態および図５の第３の形態に比べて以下の構成が異なる。
【００９７】
すなわち、自己診断手段３は、信号送受信回路Ｒ／Ｔを経由して制御信号の有無を判定する。
【００９８】
アドレス設定は、アドレス設定器ＡＤおよびリモコンのいずれによっても設定可能になっている。リモコンの場合には、図示を省略しているリモコン送信器を用いてアドレス信号を送信し、リモコン受信回路ＲＲで受信する。
【００９９】
充電モニタＣＭおよびランプモニタＬＭが配設されている。
【０１００】
整流化直流電源回路ＲＤＣは、第１および第２の直流電源ＤＣ１、ＤＣ２からなる。第１の直流電源ＤＣ１は、電源トランスＴ、ダイオードＤ１および平滑コンデンサＣ１からなる。電源トランスＴは、その１次巻線ｗｐが商用電源ＡＣに接続する。そして、電源トランスＴの２次巻線ｗｓの中間タップと一方の端部との間にダイオードＤ１および平滑コンデンサＣ１の直列回路が接続している。そうして、第１の直流電源ＤＣ１の直流出力は、平滑コンデンサＣ１の両端間から得られる。また、第１の直流電源ＤＣ１は、点灯回路のインバータＩＮＶの直流入力端間に接続して、正常時の直流電源として機能する。
【０１０１】
第２の直流電源ＤＣ２は、電源トランスＴ、ダイオードＤ２および平滑コンデンサＣ２からなる。電源トランスＴの２次巻線ｗｓの両端間にダイオードＤ２および平滑コンデンサＣ２の直列回路が接続している。そうして、第２の直流電源ＤＣ２の直流出力は、平滑コンデンサＣ２の両端間から得られる。また、第２の直流電源ＤＣ２は、バッテリＢＴとの間に直列的に介在する充電抵抗Ｒ１とともにバッテリＢＴの充電回路ＣＣを形成している。
【０１０２】
バッテリＢＴは、停電時および擬似停電時にオンするスイッチＳＷ１を直列に介してインバータＩＮＶの入力端間に接続するとともに、マイコンμＣＯＭに対しても直流電源を供給する。なお、スイッチＳＷはマイコンμＣＯＭにより制御される。
【０１０３】
点検手段は、擬似停電回路ＩＰＤを含み、自動点検手段および手動で操作する点検スイッチ２ｂのいずれによっても作動する。擬似停電回路ＩＰＤは、電源トランスＴの１次巻線ｗｐの回路に直列に挿入されている。そして、マイコンμＣＯＭからの制御により擬似停電動作すなわち開路して電源トランスＴの１次巻線ｗｐを開放させる。
【０１０４】
図７ないし図９は、本発明の防災用照明器具制御システムを実施するための一形態を示し、図７は配線図、図８は制御装置の正面図、図９は制御装置の器具状態表示・操作部の正面図である。なお、各図において、図２と同一部分について同一符号を付して説明は省略する。
【０１０５】
本形態の防災用照明器具制御システムは、図７に示しているように、自動点検機能付防災用照明器具としての複数個の自動点検機能付誘導灯ＥＥＬが第１のグループＧ１および第２のグループＧ２に区分されている。そして、それぞれのグループごとに異なる専用の１００Ｖ商用交流電源に２本の電源線ｌ、ｌを介して接続している。また、２本の信号線ｌｃ、ｌｃに接続している。これらの信号線ｌｃ、ｌｃは、両グループＧ１、Ｇ２に対して共通に配設された制御装置ＣＰの信号送受端子間に接続している。
【０１０６】
制御装置ＣＰは、電源端子台Ｔ１、自火報接続用端子台Ｔ２および器具通信用端子台Ｔ３を備えていて、電源端子台Ｔ１には専用の１００Ｖ商用交流電源が電源線ｌ、ｌを経由して接続し、また自火報接続用端子台Ｔ２には火災警報設備のｂ接点Ｃｂが接続し、器具通信用端子台Ｔ３には信号線ｌｃ、ｌｃを経由して第１および第２のグループにおけるそれぞれの後述する自動点検機能付誘導灯ＥＥＬの通信用端子台が接続している。
【０１０７】
また、制御装置ＣＰは、図８に示すように、正面において外部絡みえる位置に器具状態表示・操作部Ｄ／Ｏが配設されている。この器具状態表示・操作部Ｄ／Ｏには、図９に示すように、それぞれ複数の表示部および操作スイッチが配置されている。
【０１０８】
表示部は、通電表示部Ｄ１、アドレス表示部Ｄ２、異常発生表示部Ｄ３、異常内容確認モニタＤ４、機器状態モニタＤ５および通信線短絡モニタＤ６を含んでいて、それぞれ図９に示す部分を備えている。
【０１０９】
操作スイッチは、異常アドレス確認スイッチＳＷ１、アドレス表示送りスイッチＳＷ２および設定／確認／手動点検スイッチＳＷ３を含んでいて、それぞれ図９に示す部分を備えている。
図１０ないし図１４は、図７ないし図９に示す本発明の防災用照明器具制御システムを実施するための一形態に組み込まれる自動点検機能付防災用照明器具としての自動点検機能付誘導灯を示し、図１０は内部の部品配置を示す分解斜視図、図１１は器具内構成図、図１２はリモコン送受信部を説明する要部拡大部を備えた斜視図、図１３はリモコンによるアドレス設定を示す概略図、図１４は内部におけるバッテリの点検のフローチャートである。
【０１１０】
図１０において、自動点検機能付誘導灯ＥＥＬの構造に関し、符号１１は本体ケース、１２は表示板、１３は冷陰極蛍光ランプ、１４は点灯ユニット部および通信制御部、１５はバッテリ、１６は赤外線リモコン送受信部、１７は点検スイッチ・表示モニタ部、Ｔ１１は電源用端子台、Ｔ３１は器具通信用端子台である。なお、自動点検機能付誘導灯ＥＥＬとしては、図１、図４ないし図６に示す本発明の自動点検機能付誘導灯ＥＥＬを用いることができる。
【０１１１】
上記表示板１２は、本体ケース１１の前面開口部に装着されていて、内部に空間を形成している。冷陰極蛍光ランプ１３は、遮光被覆部の内部に収納されていて、表示板１２の端面から照明光をエッジライト方式により入射する。点検スイッチ・表示モニタ部１７は、下方へ点検スイッチの操作紐が導出され、下方から表示モニタを視認することができるように配置されている。
【０１１２】
図１１において、符号ＥＵは点灯ユニット、２ａは点検スイッチ、Ｔ１１は電源用端子台、Ｔ３１は通信用端子台、ＣＭは充電モニタ、ＬＭはランプモニタ、２０はリモコンである。なお、図１０と同一部分には同一符号を付して説明は省略する。
【０１１３】
上記点灯ユニットＥＵは、点灯ユニット部・通信制御部１４、通信部１８および赤外線通信部１９により構成されている。電源用端子台Ｔ１１は、電源線ｌ、ｌに接続する。通信用端子台Ｔ３１は、信号線ｌｃ、ｌｃに接続する。リモコン２０から発射された赤外線リモコン信号は、赤外線リモコン送受信部１６が受光する。
【０１１４】
図１２において、自動点検機能付誘導灯ＥＥＬの構造に関し、赤外線リモコン送受信部１６および点検スイッチ・表示モニタ部１７は、それぞれの作用部が本体ケース１１の下面に露出している。図において、図１０と同一部分には同一符号を付している。
【０１１５】
図１３は、自動点検機能付誘導灯ＥＥＬのアドレスを、リモコン２０を用いて設定する場面を示している。リモコン２０を用いてアドレスを設定すると、信号線ｌｃを経由して制御装置ＣＰにアドレスが伝送されて登録される。
【０１１６】
図１４は、自動点検機能付誘導灯ＥＥＬにおける内部に収納されているバッテリ１５の充電電流の有無、充電電圧および放電電圧をマイコンによる演算処理して図中に示すフローで電池状態の判断を行い、制御装置ＣＰからの状態要求信号に基づいて状態信号を信号線ｌｃを経由して制御装置ＣＰに送信する。
【図面の簡単な説明】
【０１１７】
【図１】本発明の自動点検機能付防災用照明器具としての自動点検機能付誘導灯を実施するための第１の形態を概念的に説明するブロック図
【図２】本発明の自動点検機能付防災用照明器具が組み込まれる防災用照明器具制御システムの概略配線図
【図３】本発明の第１の形態における自己診断のフローチャート
【図４】本発明の自動点検機能付防災用照明器具としての自動点検機能付誘導灯を実施するための第２の形態を示すブロック図
【図５】本発明の自動点検機能付防災用照明器具としての自動点検機能付誘導灯を実施するための第３の形態を示すブロック図
【図６】本発明の自動点検機能付防災用照明器具としての自動点検機能付誘導灯を実施するための第４の形態を示す回路図
【図７】本発明の防災用照明器具制御システムを実施するための一形態を示す配線図
【図８】同じく制御装置の正面図
【図９】同じく制御装置の器具状態表示・操作部の正面図
【図１０】図７ないし図９に示す本発明の防災用照明器具制御システムを実施するための一形態に組み込まれる自動点検機能付防災用照明器具としての自動点検機能付誘導灯を示す内部の部品配置を示す分解斜視図
【図１１】同じく器具内構成図
【図１２】同じくリモコン送受信部を説明する要部拡大部を備えた斜視図
【図１３】同じくリモコンによるアドレス設定を示す概略図
【図１４】同じく内部におけるバッテリの点検のフローチャート
【符号の説明】
【０１１８】
ＡＤ…アドレス設定器、ＣＰ…制御装置、ＥＥＬ…自動点検機能付誘導灯、ＥＵ…非常点灯ユニット、ｌ…配電線、Ｒ／Ｔ…信号送受信回路、ｓ…信号線、μＣＯＭ…マイコン、２ｂ…点検スイッチ、３…自己点検手段、Ｌ…主光源
【図１】
2006164932.tif 000003
【図２】
2006164932.tif 000004
【図３】
2006164932.tif 000005
【図４】
2006164932.tif 000006
【図５】
2006164932.tif 000007
【図６】
2006164932.tif 000008
【図７】
2006164932.tif 000009
【図８】
2006164932.tif 000010
【図９】
2006164932.tif 000011
【図１０】
2006164932.tif 000012
【図１１】
2006164932.tif 000013
【図１２】
2006164932.tif 000014
【図１３】
2006164932.tif 000015
【図１４】
2006164932.tif 000016